(57)【要約】【課題】携帯電話機の部品と機能とが独立であることの弊害を解消する。【解決手段】ディスプレイ２０４には、網掛け状の斜め４５度に線の入った背景が表示されている。ここで、化粧パネル１０の裏のバーコード１２を携帯電話１の本体２０にカメラ２０２を用いて読み込ませると、読みこんだデータは、背景の画像データのＵＲＬであり、そのＵＲＬの示すサーバにアクセスして背景の画像データをダウンロードし、新たな背景画像とする。これにより、携帯電話機の化粧パネル１０と、背景表示機能とが対応したものとなり、デザイン不統一といった弊害を解消できる。【選択図】  図７
2004320121.tif 000002
【特許請求の範囲】
【請求項１】
本体と、
当該本体の機能を設定するための機能設定情報を記録した機能設定情報記録手段を有する機能設定部品を備え、
前記本体はさらに、
前記機能設定情報記録手段から前記機能設定情報を取得する機能設定情報取得手段と、
取得された前記機能設定情報に基づき前記本体の機能を設定する機能設定手段と、
を有する、
携帯情報通信端末。
【請求項２】
請求項１に記載の携帯情報通信端末であって、
前記本体は画像表示手段を有し、
前記本体の機能は、前記画像表示手段の背景画像の設定である、
携帯情報通信端末。
【請求項３】
請求項１に記載の携帯情報通信端末であって、
前記本体は通信の着信を着信音により報知する着信報知手段を有し、
前記本体の機能は、前記着信音の種類の設定である、
携帯情報通信端末。
【請求項４】
請求項１に記載の携帯情報通信端末であって、
前記本体の機能は、ユーザインタフェースの種類の設定である、
携帯情報通信端末。
【請求項５】
請求項１ないし４のいずれか一項に記載の携帯情報通信端末であって、
前記機能設定情報記録手段はバーコードであり、
前記機能設定情報取得手段は、
前記バーコードを撮像する撮像手段と、
撮像されたバーコードを解読するバーコード解読手段と、
を有するものである、
携帯情報通信端末。
【請求項６】
請求項１ないし４のいずれか一項に記載の携帯情報通信端末であって、
前記機能設定情報記録手段は２次元バーコードであり、
前記機能設定情報取得手段は、
前記２次元バーコードを撮像する撮像手段と、
撮像された２次元バーコードを解読するバーコード解読手段と、
を有するものである、
携帯情報通信端末。
【請求項７】
請求項１ないし４のいずれか一項に記載の携帯情報通信端末であって、
前記機能設定部品は、
前記機能設定情報記録手段から前記機能設定情報を受けて送信する送信手段、
を有し、
前記本体は、
前記機能設定情報取得手段は、前記送信手段から前記機能設定情報を受信する、
携帯情報通信端末。
【請求項８】
請求項２に記載の携帯情報通信端末であって、
前記機能設定情報は、前記背景画像の画像データの所在位置である、
携帯情報通信端末。
【請求項９】
請求項８に記載の携帯情報通信端末であって、
前記所在位置は、前記携帯情報通信端末と接続されたサーバである、
携帯情報通信端末。
【請求項１０】
請求項８に記載の携帯情報通信端末であって、
前記所在位置は、前記本体である、
携帯情報通信端末。
【請求項１１】
請求項８に記載の携帯情報通信端末であって、
前記所在位置は、前記機能設定部品である、
携帯情報通信端末。
【請求項１２】
請求項１に記載の携帯情報通信端末であって、
前記機能設定部品は、前記本体の表面に取り付けられる外装材である、
携帯情報通信端末。
【請求項１３】
本体と、当該本体の機能を設定するための機能設定情報を記録した機能設定情報記録手段を有する機能設定部品を備えた携帯情報通信端末における処理をコンピュータに実行させるためのプログラムであって、
前記機能設定情報記録手段から前記機能設定情報を取得する機能設定情報取得処理と、
取得された前記機能設定情報に基づき前記本体の機能を設定する機能設定処理と、
をコンピュータに実行させるためのプログラム。
【請求項１４】
本体と、当該本体の機能を設定するための機能設定情報を記録した機能設定情報記録手段を有する機能設定部品を備えた携帯情報通信端末における処理をコンピュータに実行させるためのプログラムを記録したコンピュータによって読み取り可能な記録媒体であって、
前記機能設定情報記録手段から前記機能設定情報を取得する機能設定情報取得処理と、
取得された前記機能設定情報に基づき前記本体の機能を設定する機能設定処理と、
をコンピュータに実行させるためのプログラムを記録したコンピュータによって読み取り可能な記録媒体。
【発明の詳細な説明】
【０００１】
【発明の属する技術分野】
本発明は、携帯電話等の携帯情報通信端末に関し、特に携帯情報通信端末の部品と機能との関係に関する。
【０００２】
【従来の技術】
近年、携帯電話機は、すさまじい勢いで普及しており、特に若年層にとっては単なる通信手段としての機器の位置付けにとどまらず誰もが所有する必須のアイテム、嗜好品として位置付けされるようにもなっている。このため、携帯電話機においては、従来そのデザインや色調等が幅広い年齢層を対象とした無難な形態のものが提供されていたが、最近ではより個性化、多様化が図られた形態のものが提供されるようになっている。また、携帯電話機は、様々な場所で或いは歩きながらでも手持ちされて使用されたり電子メール操作が行われるようになっており、使用者の多くがこれをより個性的、装飾的で特徴の有る印象を与えるような形態とする工夫が施されて使用されている。
【０００３】
そこで、特許文献１にも記載があるように、携帯電話機に着脱自在な化粧パネルを結合し、所有者が適宜、化粧パネルを選択するようにして、使用者が好む外観を達成できるようにしている。
【０００４】
また、携帯電話機には表示画面を有するものが多い。そのような携帯電話機は、表示画面の背景を適宜変更できるようにしているものが多い。
【０００５】
【特許文献１】
特開２００２−１２５０２２号公報（要約、段落番号０００３）
【発明が解決しようとする課題】
しかしながら、化粧パネルと表示画面の背景とが任意に変更できるようになっているため、化粧パネルと表示画面の背景とが統一感がとれないことによるデザイン上の違和感が生じることが多い。これは、携帯電話機の部品と、携帯電話機の機能とが別個独立であることからくる問題である。
【０００６】
そこで、本発明は、携帯電話機の部品と機能とが独立であることの弊害を解消することを課題とする。
【０００７】
【課題を解決するための手段】
本発明は携帯情報通信端末に関する。本発明に係る携帯情報通信端末は、本体と、機能設定部品とを備える。
【０００８】
機能設定部品は、本体の機能を設定するための機能設定情報を記録した機能設定情報記録手段を有する。
【０００９】
本体はさらに、機能設定情報取得手段、機能設定手段を有する。
【００１０】
機能設定情報取得手段は、機能設定情報記録手段から機能設定情報を取得する。機能設定手段は、取得された機能設定情報に基づき本体の機能を設定する。
【００１１】
【発明の実施の形態】
以下、本発明の実施の形態を図面を参照して説明する。
【００１２】
第一の実施形態
図１は、第一の実施形態にかかる携帯電話（携帯情報通信端末）１の平面図である。携帯電話１は化粧パネル（機能設定部品）１０、本体２０を備える。なお、本体２０は折り畳まれている。図１（ａ）を参照して、化粧パネル１０は本体２０に対して取り外し可能である。化粧パネル１０の表面には模様が描かれている。図１の例では、花柄模様が描かれている。化粧パネル１０の裏面には取付用爪１０ａが設けられている。取付用爪１０ａは、本体２０の取付用孔２０ａにはまりあうようにできている。化粧パネル１０の裏面と、本体２０とを向かい合わせ、取付用爪１０ａを取付用孔２０ａにはめるようにすると、図１（ｂ）に示すように、化粧パネル１０を本体２０にはめることができる。よって、化粧パネル１０は、本体２０の外装材といえる。
【００１３】
図２は、化粧パネル１０の裏面と、本体２０の表面をあわせて示した図である。化粧パネル１０の裏面にはバーコード１２が記録されている。バーコード１２は、本体２０の機能を設定するための機能設定情報を記録したものである。本体２０は、カメラ２０２を有する。カメラ２０２は、化粧パネル１０が本体２０にはめられる前に、化粧パネル１０の裏面のバーコード１２を撮像する。なお、カメラ２０２はバーコード１２以外の撮像にも使用できる。
【００１４】
図３は、本体２０を開いた状態を示す平面図である。本体２０にはカメラ２０２、ディスプレイ（画像表示手段）２０４、入力装置２１６が設けられている。ディスプレイ２０４は、本体２０の裏面（化粧パネル１０が取り付けられている面の裏側の面）に設けられ、画像を表示する。ディスプレイ２０４は、表示の目的とするものの他に背景（いわゆる、壁紙）もあわせて表示する。入力装置２１６は、テンキーなどであり、電話番号や文字など様々なデータに入力が可能である。
【００１５】
図４は、本体２０の構成を示すハードウェアブロック図である。本体２０は、カメラ２０２、ディスプレイ２０４、ＬＥＤ２０６、バイブレータ２０８、通信部２１０、時計２１２、メモリ２１４、入力装置２１６、スピーカ２１８、マイク２２０、制御部２３０を備える。
【００１６】
カメラ２０２は、撮像を行う。例えば、バーコード１２の撮像を行う。撮像結果は制御部２３０に送る。ディスプレイ２０４は、制御部２３０から画像データを受けて表示する。これにより、ＧＵＩ（Ｇｒａｐｈｉｃａｌ  Ｕｓｅｒ  Ｉｎｔｅｒｆａｃｅ）が実現できる。ＬＥＤ２０６は、制御部２３０から指示を受け、発光する。これにより、本体１０の状態を利用者に伝達する。バイブレータ２０８は、制御部２３０から振動の指示があったとき（例えば、電話の着信があったとき）などに振動する。いわゆるマナーモードの際に使用される。通信部２１０は、電話あるいはインターネットなどの通信に使用される。時計２１２は、時計である。メモリ２１４は、データやプログラムなどを記録するためのものである。入力装置２１６は、制御部２３０にデータを与える。スピーカ２１８は、着信音（いわゆる着メロも含む）や電話の相手の音声を出力する。スピーカ２１８は、着信音を出力するので、着信報知手段としての機能を果たす。マイク２２０は、利用者の音声等を集音する。制御部２３０は各部を制御する。このように、本体２０は電話、インターネット通信（電子メール）、ＧＵＩ、マナーモード、時計、撮像などの数多くの機能を果たすものである。
【００１７】
図５は、第一の実施形態にかかる携帯電話１の構成を示す機能ブロック図である。携帯電話１は、化粧パネル１０、本体２０を備える。
【００１８】
化粧パネル（機能設定部品）１０にはバーコード（機能設定情報記録手段）１２が記録されている。バーコード１２は、本体２０の機能を設定するための機能設定情報を記録したものである。例えば、ディスプレイ２０４が表示する背景（いわゆる、壁紙）の画像データの所在位置を記録する。
【００１９】
本体２０は、機能設定情報取得部２２、機能記録部２１４ｂ、機能設定部２６、背景設定部２８ａ、画像記録部２１４ｃ、通信部２１０、ディスプレイ２０４を備える。
【００２０】
機能設定情報取得部２２は、バーコード１２から機能設定情報を取得する。機能設定情報取得部２２は、カメラ２０２、バーコード記録部２１４ａ、バーコード解読部２３０ａを有する。
【００２１】
カメラ２０２は、バーコード１２を撮像する。バーコード記録部２１４ａは、バーコードとバーコードが示す情報との対応を記録する。バーコード記録部２１４ａは、メモリ２１４により実装される。バーコード解読部２３０ａは、撮像されたバーコード１２を、バーコード記録部２１４ａの記録内容に基づき、解読する。これにより、バーコード１２から機能設定情報を取得できる。例えば、機能設定情報が、”ｈｔｔｐ：／／ｗｗｗ．ｓａｎｙ．ｃｏｍ／ｋｅｉｔａｉ／ｆｌｏｗｅｒ．ｄａｔａ”であったとする。
【００２２】
機能記録部２１４ｂは、機能設定情報と、機能設定情報が指示する設定内容との対応を記録する。例えば、機能設定情報が示す位置にある画像データを壁紙とするといったことが記録されている。機能記録部２１４ｂは、メモリ２１４により実装される。
【００２３】
機能設定部２６は、取得された機能設定情報に基づき本体２０の機能を設定する。例えば、壁紙を機能設定情報が示す位置にある画像データとする旨を設定する。
【００２４】
背景設定部２８ａは、機能設定部２６の設定内容に基づき、背景（壁紙）の画像を設定する。機能設定情報が、”ｈｔｔｐ：／／ｗｗｗ．ｓａｎｙ．ｃｏｍ／ｋｅｉｔａｉ／ｆｌｏｗｅｒ．ｄａｔａ”であったとすれば、このＵＲＬが示すサーバに通信部２１０を介してアクセスして、画像データを取得する。なお、サーバと通信部２１０とはインターネット等により接続されている。
【００２５】
画像記録部２９は、壁紙となる画像データを記録する。機能設定情報が、画像の位置を本体２０内部に指定している場合は、画像記録部２９に記録されたデータが壁紙となる。
【００２６】
通信部２１０は、サーバとの通信を行う。
【００２７】
ディスプレイ２０４は、背景設定部２８ａにより設定された壁紙を表示する。
【００２８】
なお、バーコード解読部２３０ａ、機能設定部２６、背景設定部２８ａは制御部２３０によりそれらの機能が達成される。
【００２９】
次に、第一の実施形態の動作を説明する。図６は、第一の実施形態の動作の流れを示す図である。図７は、第一の実施形態の動作をディスプレイ２０４の表示内容に着目して説明したものである。
【００３０】
図７を参照して、ディスプレイ２０４には、網掛け状の斜め４５度に線の入った背景が表示されている（図７（ａ）参照）。図６を参照して、利用者は、バーコード１２を携帯電話１の本体２０にカメラ２０２を用いて読み込ませる（４０１）。よって、携帯電話１はバーコード１２を撮像する（４０２）（図７（ｂ）参照）。バーコード１２は、機能設定情報取得部２２により解読される（図７（ｃ）（ｄ）参照）。これにより、機能設定情報が取得される（４０３）。機能設定情報に基づき、機能設定部２６が、本体２０の機能を設定する。具体的には、背景設定部２８ａに、機能設定情報が示す位置の画像データを壁紙として使用する旨を設定する。よって、背景設定部２８ａは、通信部２１０を介して、サーバに接続する（４０４）。さらに、画像データを要求する（４０４−２）。サーバは、要求された画像データを送信する（４０５）（図７（ｅ）参照）。最後に、背景設定部２８ａはサーバから取得した画像データを壁紙とする（４０６）（図７（ｆ）参照）。図７（ｆ）にあるように壁紙は花柄である。化粧パネル１０もまた花柄であり、デザイン上の統一感がとれる。
【００３１】
第一の実施形態によれば、携帯電話機の部品である化粧パネル１０と、壁紙表示機能とが対応づけられるので、デザイン上の統一感をとることができる。
【００３２】
なお、バーコードのかわりに図８に示すように、２次元バーコードを使用してもよい。
【００３３】
第二の実施形態
第二の実施形態は、着信音やユーザインタフェースの設定が化粧パネル１０により変更される点が、壁紙の設定が変更される第一の実施形態と異なる。
【００３４】
図９は、第二の実施形態にかかる携帯電話１の構成を示す機能ブロック図である。携帯電話１は、化粧パネル１０、本体２０を備える。以下、第一の実施形態と同様な部分は、同一の番号を付して説明を省略する。
【００３５】
化粧パネル（機能設定部品）１０にはバーコード（機能設定情報記録手段）１２が記録されている。バーコード１２は、本体２０の機能を設定するための機能設定情報を記録したものである。例えば、化粧パネルの種類を識別するための情報（例、化粧パネル（１）、化粧パネル（２））を記録する。
【００３６】
本体２０は、機能設定情報取得部２２、機能記録部２１４ｂ、機能設定部２６、着信音設定部２８ｂ、ユーザインタフェース設定部２８ｃ、スピーカ２１８、ディスプレイ２０４を備える。
【００３７】
機能設定情報取得部２２は第一の実施形態と同様である。
【００３８】
機能記録部２１４ｂは、機能設定情報と、機能設定情報が指示する設定内容との対応を記録する。図１０に機能記録部２１４ｂの記録内容の一例を示す。機能設定情報が化粧パネル（１）の場合、メニュー画像（メニュー画面に使用する壁紙）が画像１などといったことが記録されている。
【００３９】
機能設定部２６は、取得された機能設定情報に基づき本体２０の機能を設定する。例えば、メニュー画像、着信音などを設定する（図１０参照）。
【００４０】
着信音設定部２８ｂは、機能設定部２６の設定内容に基づき、着信音を設定する。スピーカ２１８は、着信時に設定された着信音を出力する。
【００４１】
ユーザインタフェース設定部２８ｃは、機能設定部２６の設定内容に基づき、ユーザインタフェースを設定する。ユーザインタフェースは、例えばＧＵＩであり、メニュー画像等が設定される。ディスプレイ２０４は、設定されたＧＵＩを表示する。
【００４２】
第二の実施形態の動作を図１１を参照して説明する。図１１（ａ）に示すように、化粧パネル（１）が本体２０に装着される場合を考える。この場合、利用者は、化粧パネル（１）のバーコード１２を携帯電話１の本体２０にカメラ２０２を用いて読み込ませる。バーコード１２は、機能設定情報取得部２２により解読される。これにより、機能設定情報（化粧パネル（１））が取得される。機能設定情報に基づき、機能設定部２６が、本体２０の機能を設定する。本体２０の機能は、図１０を参照して、メニュー画像が画像１となるように設定される。着信音設定部２８ｂは設定内容に基づき、着信時にメロディー１を出力する。ユーザインタフェース設定部２８ｃは、機能設定部２６の設定内容に基づき、ユーザインタフェースの種類を設定する（図１１（ｂ）参照）。図１１（ｂ）に示すように、ＧＵＩは、図１０に示すように（化粧パネル（１））、英語表記になっている。なお、メニュー構成要素２０４ａ、ｂ、ｃ、ｄは縦に並んでいる。
【００４３】
なお、図１１（ｃ）に示すように、化粧パネル（２）が本体２０に装着される場合を考える。この場合も同様であり、着信音設定部２８ｂは設定内容に基づき、着信時にメロディー２を出力する。ユーザインタフェース設定部２８ｃは、機能設定部２６の設定内容に基づき、ユーザインタフェースを設定する（図１１（ｄ）参照）。図１１（ｄ）に示すように、ＧＵＩは、図１０に示すように（化粧パネル（２））、日本語表記になっている。なお、メニュー構成要素２０４Ａ、Ｂ、Ｃ、Ｄは横二列に並んでいる。
【００４４】
第二の実施形態によれば、壁紙のみならず携帯電話のあらゆる機能を化粧パネル１０といった部品により変更できる。なお、バイブレータ２０８などの機能、ハンドフリー機能なども必要に応じて設定できる。
【００４５】
第三の実施形態
第三の実施形態は、第一の実施形態のバーコード１２を、ＩＣチップ１３および接触端子１４ａ、ｂに置き換えたようなものである。
【００４６】
図１２は、第三の実施形態にかかる携帯電話（携帯情報通信端末）１の平面図である。ただし、化粧パネル１０は裏返してある。図１２（ａ）に示すように、化粧パネル１０の裏面には、ＩＣチップ１３および接触端子１４ａ、ｂが実装されている。ＩＣチップ１３は、本体２０の機能を設定するための機能設定情報を記録する。接触端子１４ａ、ｂは、ＩＣチップ１３の記録内容を読み出すための端子であり、本体２０の表面の接触端子２４２ａ、ｂ（図１２（ｂ）参照）と接触する。
【００４７】
図１３は、本体２０の構成を示すハードウェアブロック図である。本体２０は、カメラ２０２、ディスプレイ２０４、ＬＥＤ２０６、バイブレータ２０８、通信部２１０、時計２１２、メモリ２１４、入力装置２１６、スピーカ２１８、マイク２２０、制御部２３０、外部インタフェース２４０、接触端子２４２ａ、ｂを備える。
【００４８】
外部インタフェース２４０は、本体２０と化粧パネル１０とのインタフェースである。外部インタフェース２４０は、接触端子２４２ａ、ｂを介して読み出される機能設定情報を制御部２３０に送る。他の部分は第一の実施形態と同様である。
【００４９】
図１４は、第三の実施形態にかかる携帯電話１の構成を示す機能ブロック図である。携帯電話１は、化粧パネル１０、本体２０を備える。
【００５０】
化粧パネル１０は、ＩＣチップ１３により実現される、機能設定情報記録部１３０を有する。
【００５１】
本体２０は、機能設定情報取得部２２、機能記録部２１４ｂ、機能設定部２６、背景設定部２８ａ、画像記録部２１４ｃ、通信部２１０、ディスプレイ２０４を備える。
【００５２】
機能設定情報取得部２２は、機能設定情報記録部１３０から機能設定情報を読出し、機能設定部２６に出力する。機能記録部２１４ｂ、機能設定部２６、背景設定部２８ａ、画像記録部２１４ｃ、通信部２１０、ディスプレイ２０４は第一の実施形態と同様である。
【００５３】
第三の実施形態の動作は、機能設定情報取得部２２は、機能設定情報記録部１３０から機能設定情報を読出し、機能設定部２６に出力すること以外は、第一の実施形態と同様である。
【００５４】
第三の実施形態によれば、バーコードによらなくても、第一の実施形態と同様の効果を奏する。
【００５５】
第四の実施形態．
第四の実施形態は、第一の実施形態のバーコード１２を、ＩＣチップ１３、通信器１５およびアンテナ１６に置き換えたようなものである。
【００５６】
図１５は、第四の実施形態にかかる携帯電話（携帯情報通信端末）１の平面図である。ただし、化粧パネル１０は裏返してある。図１５（ａ）に示すように、化粧パネル１０の裏面には、ＩＣチップ１３、通信器１５およびアンテナ１６が実装されている。ＩＣチップ１３は、本体２０の機能を設定するための機能設定情報を記録する。なお、壁紙に使用する画像データを記録してもよい。通信器（送信手段）１５は、ＩＣチップ１３から機能設定情報を受け、アンテナ１６を介して機能設定情報を送信するためのものである。図１５（ｂ）に示すように、本体２０の表面には通信器２４４、アンテナ２４６が設けられている。通信器２４４はアンテナ２４６を介して機能設定情報（および壁紙に使用する画像データ）を受信する。
【００５７】
図１６は、本体２０の構成を示すハードウェアブロック図である。本体２０は、カメラ２０２、ディスプレイ２０４、ＬＥＤ２０６、バイブレータ２０８、通信部２１０、時計２１２、メモリ２１４、入力装置２１６、スピーカ２１８、マイク２２０、制御部２３０、通信器２４４、アンテナ２４６を備える。
【００５８】
通信器２４４は、本体２０と化粧パネル１０との間の通信を行うためのものである。化粧パネル１０から機能設定情報（および壁紙に使用する画像データ）を受信するので、それを制御部２３０に送る。アンテナ２４６は、通信器２４４が通信に用いるアンテナである。他の部分は第一の実施形態と同様である。
【００５９】
図１７は、第四の実施形態にかかる携帯電話１の構成を示す機能ブロック図である。携帯電話１は、化粧パネル１０、本体２０を備える。
【００６０】
化粧パネル１０は、ＩＣチップ１３により実現される、機能設定情報記録部１３０を有する。また、化粧パネル１０は、通信器１５およびアンテナ１６を有する。通信器（送信手段）１５は、機能設定情報記録部１３０から機能設定情報を受けて、アンテナ１６を介して送信を行う。なお、機能設定情報記録部１３０に、壁紙に使用する画像データを記録してもよい。この場合、通信器（送信手段）１５は、機能設定情報記録部１３０から壁紙に使用する画像データを受けて、アンテナ１６を介して送信を行うことがある（壁紙に使用する画像データの所在が、化粧パネル１０であると設定された場合）。
【００６１】
本体２０は、機能設定情報取得部２２、機能記録部２１４ｂ、機能設定部２６、背景設定部２８ａ、画像記録部２１４ｃ、通信部２１０、ディスプレイ２０４を備える。
【００６２】
機能設定情報取得部２２は、通信器（送信手段）１５から機能設定情報を受信する。機能設定情報取得部２２は、情報読出部２３０ｂ、通信器２４４、アンテナ２４６を有する。
【００６３】
通信器２４４はアンテナ２４６を介して機能設定情報を受信する。情報読出部２３０ｂは、通信器２４４が受信した機能設定情報を読み出して、機能設定部２６に送る。
【００６４】
機能記録部２１４ｂ、機能設定部２６、背景設定部２８ａ、画像記録部２１４ｃ、通信部２１０、ディスプレイ２０４は第一の実施形態と同様である。ただし、機能設定情報において、壁紙に使用する画像データの所在が、化粧パネル１０であるとされる場合がある。この場合は、機能設定情報取得部２２が化粧パネル１０から壁紙に使用する画像データをも受信して、壁紙に使用する。
【００６５】
第四の実施形態の動作は、機能設定情報取得部２２が、化粧パネル１０から通信により機能設定情報を受け、機能設定部２６に出力すること以外は、第一の実施形態と同様である。
【００６６】
第四の実施形態によれば、バーコードによらなくても、第一の実施形態と同様の効果を奏する。
【００６７】
また、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分を実現するプログラムを記録したメディアを読み取らせて、ハードディスク、フラッシュメモリなどにインストールする。このような方法でも、上記の機能を実現できる。
【図面の簡単な説明】
【図１】第一の実施形態にかかる携帯電話（携帯情報通信端末）１の平面図である。
【図２】化粧パネル１０の裏面と、本体２０の表面をあわせて示した図である。
【図３】本体２０を開いた状態を示す平面図である。
【図４】本体２０の構成を示すハードウェアブロック図である。
【図５】第一の実施形態にかかる携帯電話１の構成を示す機能ブロック図である。
【図６】第一の実施形態の動作の流れを示す図である。
【図７】第一の実施形態の動作をディスプレイ２０４の表示内容に着目して説明したものである。
【図８】２次元バーコードを示す図である。
【図９】第二の実施形態にかかる携帯電話１の構成を示す機能ブロック図である。
【図１０】機能記録部２１４ｂの記録内容の一例を示す図である。
【図１１】第二の実施形態の動作を説明するための外装（図１１（ａ）、（ｃ））および表示画面（図１１（ｂ）、（ｄ））を示す図である。
【図１２】第三の実施形態にかかる携帯電話（携帯情報通信端末）１の平面図である。
【図１３】第三の実施形態にかかる本体２０の構成を示すハードウェアブロック図である。
【図１４】第三の実施形態にかかる携帯電話１の構成を示す機能ブロック図である。
【図１５】第四の実施形態にかかる携帯電話（携帯情報通信端末）１の平面図である。
【図１６】第四の実施形態にかかる本体２０の構成を示すハードウェアブロック図である。
【図１７】第四の実施形態にかかる携帯電話１の構成を示す機能ブロック図である。
【符号の説明】
１  携帯電話
１０  化粧パネル
１２  バーコード
１３  ＩＣチップ
１４ａ、ｂ  接触端子
１５  通信器
１６  アンテナ
２０  本体
２２  機能設定情報取得部
２６  機能設定部
２８ａ  背景設定部
２８ｂ  着信音設定部
２８ｃ  ユーザインタフェース設定部
２０２  カメラ
２０４  ディスプレイ
２１０  通信部
２１４ａ  バーコード記録部
２１４ｂ  機能記録部
２１４ｃ  画像記録部
【図１】
2004320121.tif 000003
【図２】
2004320121.tif 000004
【図３】
2004320121.tif 000005
【図４】
2004320121.tif 000006
【図５】
2004320121.tif 000007
【図６】
2004320121.tif 000008
【図７】
2004320121.tif 000009
【図８】
2004320121.tif 000010
【図９】
2004320121.tif 000011
【図１０】
2004320121.tif 000012
【図１１】
2004320121.tif 000013
【図１２】
2004320121.tif 000014
【図１３】
2004320121.tif 000015
【図１４】
2004320121.tif 000016
【図１５】
2004320121.tif 000017
【図１６】
2004320121.tif 000018
【図１７】
2004320121.tif 000019